(57)【要約】  【課題】所定の圧縮力を付加して、さらに長手方向に圧縮力の分布を持たせることができるゴルフクラブシャフトおよびゴルフクラブを提供することにある。  【解決手段】本発明のゴルフクラブシャフトは、中空であって、一の方向に伸びる筒状のシャフト体と、前記シャフト体の内部に、前記一の方向に沿って相互に離間して設けられる複数の固定部材と、前記複数の固定部材のうち、いずれか１つに一端部が固定される前記一の方向に伸びる複数の緊張材と、前記シャフト体の前記一の方向における基端部に設けられ、前記緊張部材の他端部を保持して、前記緊張材に所定の張力を付加し、前記シャフト体に所定の圧縮力を付加する張力調整部とを有する。【選択図】図２
2005143963.tif 000002
【特許請求の範囲】
【請求項１】
中空のゴルフクラブシャフトであって、
一の方向に伸びる筒状のシャフト体と、
前記シャフト体の内部に、前記一の方向に沿って相互に離間して設けられる複数の固定部材と、
前記複数の固定部材のうち、いずれか１つに一端部が固定される前記一の方向に伸びる複数の緊張材と、
前記シャフト体の前記一の方向における基端部に設けられ、前記緊張部材の他端部を保持して、前記緊張材に所定の張力を付加し、前記シャフト体に所定の圧縮力を付加する張力調整部とを有することを特徴とするゴルフクラブシャフト。
【請求項２】
前記シャフト体は、前記基端部の径が、先端部の径よりも大きく、さらに前記一の方向に対して少なくとも１つのテーパ部を有する請求項１に記載のゴルフクラブシャフト。
【請求項３】
前記テーパ部は、前記シャフト体の全長にわたる請求項２に記載のゴルフクラブシャフト。
【請求項４】
前記緊張材は、アラミド繊維またはアラミド繊維強化プラスチックスにより構成される請求項１〜３のいずれか１項に記載のゴルフクラブシャフト。
【請求項５】
前記請求項１〜４のいずれか１項に記載のゴルフクラブシャフトを有することを特徴とするゴルフクラブ。
【発明の詳細な説明】
【技術分野】
【０００１】
本発明は、筒状のシャフト体が伸びる長手方向において、このシャフト体の長手方向に付加する圧縮力を調整することができ、シャフト体の曲げ特性を調整できるゴルフクラブシャフトおよびゴルフクラブに関するものである。
【背景技術】
【０００２】
従来、ゴルフクラブヘッドおよびゴルフクラブシャフトに張力を導入して、それらの剛性を高め、ゴルフクラブとしての打撃性能を高める試みが、各種提案されている。
また、ゴルフクラブヘッドのフェース部に、針金による圧縮応力を導入して、反発係数または耐久性を高める試みもなされている（例えば、特許文献１参照）。
【０００３】
この特許文献１に開示されたゴルフクラブヘッドは、中空構造のヘッド本体と、ヘッド本体の開口部に設けられるフェースプレートとを有する。このフェースプレートは、プレート母材と、このプレート母材に埋設された線材とで構成されている。この線材は、その軸線方向に引張応力が付加された状態でプレート母材に固着されているので、プレート母材に予め圧縮応力が付加される。これにより、フェースプレートがボール打撃時に曲げ変形した場合に生じる引張応力が小さく留められ、引張破壊が阻止される。
【０００４】
さらに、既存の構造材料に張力または圧縮力を導入して、振動、剛性または強度などの力学的特性を変化させ、構造材としての性能を向上させることが、広く適用されている。適用例としては、例えば、弦楽器および打楽器の調律、ならびに橋梁などを構成するコンクリートが挙げられる。
【０００５】
このように、圧縮応力を導入し、構造材料としての性能の改良が行われている。予め応力を付加することをプレストレッシングという。予め圧縮応力が導入されたコンクリートは、プレストレストコンクリートと呼ばれている。
【０００６】
さらにまた、ゴルフクラブについて、フェース部に圧縮応力を導入して、飛距離または耐久性などのゴルフクラブヘッドの性能を向上させたものが開示されている（特許文献２参照）。
【０００７】
特許文献２に開示されたゴルフクラブは、ヘッド部、シャフト部およびグリップ部の内部の全部または一部分が空洞である中空なものであって、空洞部分の全部または一部分に圧縮した気体が密封されている。これにより、特許文献２に開示されたゴルフクラブは、反発係数を高くすることができる。
【０００８】
しかしながら、上述の特許文献２に開示されたゴルフクラブにおいて、ゴルフクラブシャフトの軸方向に作用する力は、ゴルフクラブシャフトの半径方向に作用する力に比して極めて小さい。このため、このゴルフクラブにおいては、軸方向におけるゴルフクラブシャフトの特性を改良することができないという問題点がある。
このため、軸方向における特性を改良することができるゴルフクラブシャフトが各種提案されている（特許文献３および特許文献４参照）。
【０００９】
特許文献３に開示されたゴルフクラブ用シャフトは、薄厚金属または強化プラスチックなどによりなる先細の管体内中心部に対して、高抗張力の芯張り細棒を適当間隔の中心保持具などを設けて内装し、この管体の上方グリップ部内において管内に嵌合止着した栓蓋の中心部に、上方より螺合した張線力調節具を設け、この張線力調節具に対し、回動自在係止部を介し、芯張り細線の上端を係合させるとともに、下端を管体の下端末に止着具により固定してなるものである。
このような構成により、張り細線の張力を変化させることができ、この張力に応じ、先細の管体に常時作用する圧縮力は変化する。よって、圧縮力分が管体の壁面の抗張力を補強することになる。このため、張線力調節具による芯張り細線の張力を加減することにより、打球時において、ゴルフクラブシャフトの撓み量を、ゴルファの好みに応じ変化させることができる。
【００１０】
また、特許文献４に開示されたゴルフクラブは、グリップに凹凸係止、ねじ止めまたは係止突起による固止などの飛散防止用の基係止片と、この基係止片よりゴルフクラブのヘッドのシャフト内にワイヤーを貫挿し、このワイヤーの途中にシャフトの所定位置より飛散しない、直径を異にする球体の飛散防止用の球体の係止片を適当数固止し、かつ球体の係止片がシャフト内に遊嵌装着させたものである。
このような構成により、ワイヤーをヘッドのネック部でその張力を調整可能である。このため、シャフトのしなりを、ある程度の範囲で調整することができる。具体的には、ワイヤーを緊張することにより、シャフトのしなりを少なくして、ボールに直接シャフトのスイング打撃を付与できる。また、逆にワイヤーを弛緩させることにより、シャフトのしなりを大きくして、ボールにしなりによる反力＋スイング打撃を強く付与できる。
【００１１】
【特許文献１】実開平５−５１６１号公報
【特許文献２】実開平７−２７６３４号公報
【特許文献３】実開昭５２−３７７１号公報
【特許文献４】実公平７−４２４４１号公報
【発明の開示】
【発明が解決しようとする課題】
【００１２】
しかしながら、特許文献３および特許文献４に開示されたゴルフクラブは、ゴルフクラブシャフトの軸方向に圧縮力を付加することができるものの、ゴルフクラブシャフトは、最低でも長さが８８．９センチ（３５インチ）ある。このため、ゴルフクラブシャフトの両端から圧縮力を付加しても、所定の剛性を得ることができないという問題点がある。さらには、ゴルフクラブシャフトは、軽量化が進んでおり、両端から大きな圧縮力を付加した場合に、座屈が生じ易く、大きな圧縮力を付加することができないという問題点もある。
【００１３】
本発明の目的は、前記従来技術に基づく問題点を解消し、所定の圧縮力を付加して、さらに長手方向に圧縮力の分布を持たせることができるゴルフクラブシャフトおよびゴルフクラブを提供することにある。
【課題を解決するための手段】
【００１４】
上記目的を達成するために、本発明の第１の態様は、中空のゴルフクラブシャフトであって、一の方向に伸びる筒状のシャフト体と、前記シャフト体の内部に、前記一の方向に沿って相互に離間して設けられる複数の固定部材と、前記複数の固定部材のうち、いずれか１つに一端部が固定される前記一の方向に伸びる複数の緊張材と、前記シャフト体の前記一の方向における基端部に設けられ、前記緊張部材の他端部を保持して、前記緊張材に所定の張力を付加し、前記シャフト体に所定の圧縮力を付加する張力調整部とを有することを特徴とするゴルフクラブシャフトを提供するものである。
【００１５】
本発明において、前記シャフト体は、前記基端部の径が、先端部の径よりも大きく、さらに前記一の方向に対して少なくとも１つのテーパ部を有することが好ましい。
この場合、前記テーパ部は、前記シャフト体の全長にわたるものであってもよい。
また、前記緊張材は、アラミド繊維またはアラミド繊維強化プラスチックスにより構成されることが好ましい。
【００１６】
本発明の第２の態様は、上述の本発明の第１の態様のゴルフクラブシャフトを有することを特徴とするゴルフクラブを提供するものである。
【発明の効果】
【００１７】
本発明のゴルフクラブシャフトおよびゴルフクラブにおいては、一の方向に伸びる筒状のシャフト体の内部に、一の方向に沿って相互に離間して複数の固定部材を設け、各固定部材に１つ緊張材の一端部が固定されている。シャフト体の一の方向の基端部に、各緊張部材の他端部を保持して、各緊張材毎に所定の張力を付加する張力調整部を設けることにより、シャフト体に所定の圧縮力を付加することができる。また、固定部材が、シャフト体の一の方向に沿って離間して設けられているので、シャフト体の一の方向における各位置において、圧縮力を調整することができ、所定の圧縮力の分布を持たせることができる。このため、例えば、手元調子、中調子、または先調子と呼ばれるシャフト体の曲げ特性を調整することもできる。
【発明を実施するための最良の形態】
【００１８】
以下に、添付の図面に示す好適実施形態に基づいて、本発明のゴルフクラブシャフトおよびゴルフクラブを詳細に説明する。
【００１９】
図１は、本発明の実施例に係るゴルフクラブを示す分解斜視図である。
図１に示すように、ゴルフクラブ１０は、ゴルフクラブヘッド２０と、ゴルフクラブシャフト４０とを有する。
ゴルフクラブヘッド２０は、フェース部２２、ソール部２４、クラウン部２６、サイド部（側壁部）２８およびホーゼル部３０を有する。本実施例のゴルフクラブヘッド２０では、フェース部２２、ソール部２４、クラウン部２６およびサイド部２８は、それぞれ板状に成形されており、これらの部材が相互に接合されて外殻構造を構成している。
【００２０】
フェース部２２は、その表面がゴルフボールを打撃するフェース面２３となるものである。
このフェース面２３の打撃部の表面部には、ヒールからトウに向かう方向に伸びたスコアラインＬが、例えば、３本平行に形成されている。
【００２１】
また、ホーゼル部３０は、ゴルフクラブシャフト４０をゴルフクラブヘッド２０に固定するものであり、クラウン部２６に設けられる。このホーゼル部３０には、ゴルフクラブシャフト４０が挿入される開口部３２が設けられている。ゴルフクラブシャフト４０は、ゴルフクラブヘッド２０にソケット３４を介して固定される。このソケット３４には、ゴルフクラブシャフト４０を挿通可能な開口部３６が設けられている。
【００２２】
次に、本実施例のゴルフクラブシャフト４０について詳細に説明する。
図２は、本実施例のゴルフクラブシャフトを示す模式的側断面図である。
図２に示すように、ゴルフクラブシャフト４０は、筒状のシャフト体４２と、例えば、第１〜第３の緊張材４４、４６、４８と、第１〜第３の固定部材５０、５２、５４と、張力調整部６０とを有する。
本実施例のゴルフクラブシャフト４０は、例えば、３本の緊張材で圧縮力を付加するものである。
【００２３】
シャフト体４２は、筒状の中空体であり、例えば、炭素繊維複合強化材（以下、ＣＦＲＰ；Carbon Reinforced Plasticsという）により構成されている。本実施例において、シャフト体４２は、長手方向（一の方向）における基端部４２ａ側の径が、先端部４２ｂ側の径よりも大きく、その長手方向に沿って全長に亘る連続的なテーパを有する。
本実施例においては、テーパは、全長にわたるものに限定されるものではない。例えば、径が変化しないストレート部と、テーパ部とが組み合わされたものでもよい。さらに、複数のテーパ部が多段階に変化するものであってもよい。
【００２４】
第１の緊張材４４は、シャフト体４２にその先端部４２ｂから圧縮力を付加するものであり、例えば、線材または帯状部材により構成される。
第２の緊張材４６および第３の緊張材４８は、シャフト体４２にその基端部４２ａと先端部４２ｂとの中間から圧縮力を付加するものであり、例えば、線材または帯状部材により構成される。
【００２５】
第１〜第３の緊張材４４、４６、４８の材質は、１〜２ｋＮ以上の引張強度を有し、０．１％程度の歪みを付加しても破断しないものであれば、特に限定されるものではない。
第１〜第３の緊張材４４、４６、４８の材質としては、強度および伸び特性、更にはダンピング性能が高く、優れた衝撃緩和能力を発揮するのでアラミド繊維またはアラミド繊維強化プラスチックス（以下、ＡＦＲＰという）が好ましい。また、ＣＦＲＰなどの繊維強化プラスチックス、またはピアノ線などの金属材料も用いることができる。
【００２６】
第１の固定部材５０は、シャフト体４２の先端部４２ｂ側の内周面４３に密着して設けられるものであり、円錐台状の平板により構成される。
第２の固定部材５２、および第３の固定部材５４は、シャフト体４２の中間部の内周面４３に密着して設けられるものであり、円錐台状の平板により構成される。
【００２７】
張力調整部６０は、第１の緊張材４４〜第３の緊張材４８の張力を調整するものであり、シャフト体４２の基端部４２ａに設けられている。
本実施例においては、張力調整部６０により、各第１の緊張材４４〜第３の緊張材４８に、例えば、１００Ｎ〜１ｋＮの張力が付加される。張力として、１００Ｎ〜１ｋＮ付加すれば、ゴルフクラブシャフト４０の曲げ特性を変えることができる。
【００２８】
シャフト体４２の先端部４２ｂが、ホーゼル部３０（図１参照）の開口部３２（図１参照）に挿入される。また、シャフト体４２の基端部４２ａは、グリップが取り付けられるものである。
【００２９】
図３は、図２に示す領域Ａの拡大図である。
図３に示すように、シャフト体４２の先端部４２ｂの内周面４３に、第１の固定部材５０が設けられている。この第１の固定部材５０には、その中心部にシャフト体４２の長手方向に貫通する貫通孔５０ａが形成されている。この貫通孔５０ａに第１の緊張材４４が挿通されている。第１の緊張材４４の先端部４４ａは、例えば、球状に成形されている。これにより、第１の緊張材４４は、抜けが防止され、張力を付加することができる。
【００３０】
図４は、図２に示す領域Ｂの拡大図である。
図４に示すように、シャフト体４２の中間部の内周面４３に、第２の固定部材５２が設けられている。この第２の固定部材５２には、その中心部にシャフト体４２の長手方向に貫通する貫通孔５２ａが形成されている。この貫通孔５２ａに第１の緊張材４４が挿通されている。
【００３１】
また、第２の固定部材５２には、貫通孔５２ａから離間した位置に貫通孔５２ｂが形成されている。この貫通孔５２ｂに第２の緊張材４６が挿通されている。この第２の緊張材４６の先端部４６ａは、例えば、球状に形成されている。これにより、第２の緊張材４６は、抜けが防止され、張力を付加することができる。
【００３２】
図５は、図２に示す領域Ｃの拡大図である。
図５に示すように、シャフト体４２の中間部の内周面４３に、第３の固定部材５４が設けられている。この第３の固定部材５４には、その直径方向の中心線上に、シャフト体４２の長手方向に貫通する貫通孔５４ａ、５４ｂ、５４ｃが、３つ形成されている。
【００３３】
貫通孔５４ａは、第３の固定部材５４の中心部に形成されており、貫通孔５４ｂ、５４ｃは、貫通孔５４ａを中心にして対称な位置に形成されている。貫通孔５４ｂの形成位置は、貫通孔５２ｂの長手方向における直線上である。貫通孔５４ａに第１の緊張材４４が挿通されている。また、貫通孔５４ｂに第２の緊張材４６が挿通されている。さらに、貫通孔５４ｃに第３の緊張材４８が挿通されている。
第２の緊張材４８の先端部４８ａは、例えば、球状に成形されている。これにより、第３の緊張材４８は、抜けが防止され、張力を付加することができる。
【００３４】
図６（ａ）は、図２に示す領域Ｄの拡大図であり、（ｂ）は、（ａ）の正面図である。
張力調整部６０は、シャフト体４２の基端部４２ａに設けられている。
張力調整部６０は、基体６２と、取付部６４と、張力調整部材７０ａ〜７０ｃとを有する。
【００３５】
基体６２は、シャフト体４２の基端部４２ａの内周面４３に密着して設けられるものであり、円錐台状の平板により構成される。
この基体６２には、第３の固定部材５４に形成された貫通孔５４ａ〜５４ｃに長手方向において整合する位置にめねじ部６２ａ、６２ｂ、６２ｃが形成されている。
【００３６】
取付部６４は、張力調整部材７０ａ〜７０ｃを保護するものである。また、この取付部６４は、ゴルクラブシャフト４０として意匠が優れたものとするものでもある。
取付部６４は、凹部６６が形成されており、この凹部６６の底面６６ａにおいて、基体６２のめねじ部６２ａ〜６２ｃに整合する位置に貫通孔６８ａ〜６８ｃが形成されている。
【００３７】
張力調整部材７０ａ〜７０ｃは、第１〜第３の緊張材４４〜４８を引張るものであり、ねじ部７２ａ〜７２ｃと、頭部７４ａ〜７４ｃとを有する。このねじ部７２ａ〜７２ｃおよび頭部７４ａ〜７４ｃは一体に形成されている。
ねじ部７２ａ〜７２ｃは、基体６２に設けられためねじ部６２ａ〜６２ｃに螺合されるものである。
頭部７４ａ〜７４ｃは、外形が、例えば、略六角柱状を呈しており、凹部７８ａ〜７８ｃが設けられている。
【００３８】
ねじ部７２ａ〜７２ｃと、頭部７４ａ〜７４ｃの凹部７８ａ〜７８ｃとを貫通する貫通孔７６ａ〜７６ｃが形成されている。これらの貫通孔７６ａ〜７６ｃに、それぞれ第１〜第３の緊張材４４〜４８が挿通される。
第１〜第３の緊張材４４〜４８の後端部４４ｂ、４６ｂ，４８ｂは、例えば、凹部に収納される大きさの球状に成形されている。
このようにして、第１〜第３の緊張材４４〜４８が張力調整部材７０ａ〜７０ｃに取り付けられる。第１〜第３の緊張材４４〜４８は、長手方向において、直線となる。
【００３９】
なお、第１〜第３の緊張材４４〜４８の後端部４４ｂ、４６ｂ，４８ｂは、凹部７８ａ〜７８ｃに収納される大きさの球状に成形することに限定されるものではない。例えば、凹部７８ａ〜７８ｃに収納可能で、かつ貫通孔７６ａ〜７６ｃよりも大きいかしめ部材を用いて、後端部４４ｂ、４６ｂ，４８ｂをかしめてもよい。
このようにして、第１〜第３の緊張材４４〜４８を張力調整部材７０ａ〜７０ｃに取り付けるようにしてもよい。
【００４０】
本実施例においては、張力調整部材７０ａ〜７０ｃは、頭部７４ａ〜７４ｃの外形が六角形状であるので、スパナで回転させることができる。これにより、第１〜第３の緊張材４４〜４８を引張って、シャフト体４２に張力（圧縮力）を付加することができる。
本実施例においては、ねじ機構を用いているので、張力調整部材７０ａ〜７０ｃの回転量で、第１〜第３の緊張材４４〜４８に付加させる張力を調整することができる。
【００４１】
また、凹部７８ａ〜７８ｃの形状を、例えば、六角形にすることにより、六角レンチを使用して、シャフト体４２に張力を付加することもできる。
なお、本実施例においては、取付部６４に張力調整部材７０ａ〜７０ｃが収納されているので、張力調整部材７０ａ〜７０ｃが、ぶつかったりして、回転してしまうことがない。このため、常に所定の張力を維持することができる。
【００４２】
次に、本実施例のゴルフクラブシャフトの張力調整方法について説明する。
図７（ａ）および（ｂ）は、本実施例のゴルフクラブシャフトの張力調整方法を工程順に示す模式図である。
図７（ａ）に示すように、ゴルフクラブシャフト８０は、張力が付加されていない状態で後端を支持した場合、ゴルフクラブシャフト８０の剛性分布（曲げ特性）により、例えば、４つの領域８２ａ〜８２ｄで示されるようにしなるものである。このゴルフクラブシャフト８０には、緊張材８４が挿通されており、その先端部には、抜け防止のための留部８４ａが形成されている。
図７（ａ）に示す状態のゴルフクラブシャフト８０では、曲げ特性などは、設計されたままである。
【００４３】
しかしながら、図７（ｂ）に示すように、緊張材８４に張力Ｔを付加して、ゴルフクラブシャフト８０に圧縮力を付加することにより、４つの領域８２ａ〜８２ｄが、真直な状態になり、ゴルフクラブシャフトの剛性を高めることができる。さらに、緊張材の数を増やして、圧縮応力を付加できる場所を多くすることにより、ゴルフクラブシャフトの曲げ特性を種々変更することができる。
この場合、領域８２ｂに圧縮力を加えることにより、領域８２ａの部分の剛性が相対的に低くなり、領域８２ａが変形しやすくなる。
このようにして、本実施例においては、第１の緊張材４４〜第３の緊張材４８の張力を張力調整部６０を用いて調整することにより、シャフト体４２に付加される圧縮力を変えることができる。このため、手元調子、中調子、または先調子と呼ばれるゴルフクラブシャフトの曲げ特性を調整することができる。
【００４４】
さらに、張力を付加することにより、打撃時の音を調整することもできる。
これにより、ゴルフクラブシャフトの曲げ特性をより一層ゴルファの技量または好みに近いものとすることができる。さらに、打撃音も調整することができる。
【００４５】
本実施例においては、張力調整部６０の構成は簡素であり、第１の緊張材４４〜第３の緊張材４８はシャフト体４２の内部に配置されている。また、第１の緊張材４４〜第３の緊張材４８は、ピアノ線またはＡＦＲＰなどの線材または帯状部材であるため、軽量化できる。このため、ゴルフクラブを使用する場合に支障をきたすことがない。
また、本実施例においては、圧縮力の調整は、張力調整部６０の張力調整部材７０ａ〜７０ｃを回転させるだけなので、張力調整の操作は簡単である。このため、使用する毎に圧縮力を調整することができる。これにより、ゴルファの体調などに応じてもゴルフクラブシャフトの曲げ特性を調整することができる。
また、指導を受けて、ゴルファに適切な張力に調整することもできる。
【００４６】
さらに、本実施例においては、上述の如く、緊張材の張力を変えることにより、試合またはラウンド時におけるゴルファのコンディションに合わせた用具のチューニングをし、スポーツを楽しむことができる。
また、手に伝わる衝撃を試合またはラウンド時における緊張感または体調などに合わせて調整することにより、体調に合わせてベストスコアを狙うという単なる技術とは別の次元のスポーツの深みを実現が可能となる。
さらに、体調が良いときには、張力を高くして、ゴルフクラブシャフトの硬さを優先し、気持ちが内向的であるときには、衝撃緩和効果を高くするなどのプレー時における好みにゴルフクラブシャフトの衝撃緩和を合わせる技量を磨くことを可能しており、これにより、ゴルフクラブシャフトとして付加価値が高くなる。
また、ゴルフクラブシャフトに長時間にわたり強い張力（圧縮応力）を付与することは、シャフト体がクリープ変形してしまう虞もあるため、プレーの間だけ張力を付与することが好ましい。
このためにも、張力調整部６０は、簡単な操作で張力を調節できる回転系の調節器を用いることが好ましい。
【００４７】
さらに、本実施例においては、張力調整部６０の構成は、緊張材に張力を付加することができるものであれば、特に限定されるものではない。例えば、弦楽器などに用いられるペグ（糸巻き器）またはウォームギアを用いた巻上げ装置などを用いることができる。
【００４８】
さらにまた、本実施例においては、第１の緊張材４４〜第３の緊張材４８の先端部４４ａ〜４８ａを球状に成形し、抜け止めとしたが、これに限定されるものではなく、抜け止めとしての機能を有するものであれば特に限定されるものではない。例えば、第１の緊張材４４〜第３の緊張材４８の先端部４４ａ〜４８ａを折り返して樹脂または金属などで固めたものが挙げられる。また、抜け止め以外にも、固定部材に固定することができれば、先端部にリング状にして、固定部材に引っ掛けるようにしてもよい。
【００４９】
また、本実施例においては、緊張材の数、ならびに緊張材を固定する固定部材を設ける位置および数も、特に限定されるものではない。ゴルフクラブシャフトの強度、または曲げ特性に応じて、シャフト体に適宜設けることができる。
例えば、本実施例において、シャフト体４２のキックポイントよりも先端部側に、固定部材を設けて、この固定部材に設けられた緊張材を介して、張力調整部により、張力を付加することにより、キックポイントにおける剛性を上げることができる。これにより、ゴルフクラブシャフトの曲げ特性を更に一層容易に調整できる。
【００５０】
また、固定部材は、必ずしも必要ではなく、シャフト体の内周面に緊張材を直接固定してもよい。
【００５１】
なお、本実施例において、第１〜第３の緊張材４４、４６、４８は、アラミド繊維またはＡＦＲＰは、ダンピング性能が優れるので、これらにより構成することが特に好ましい。例えば、第１〜第３の緊張材４４、４６、４８にアラミド繊維またはＡＦＲＰを用いた場合、０．１％程度の伸びを与えることにより、所定の張力を発生することができる。この伸びは、例えば、シャフト体の長さが１ｍ（約４０インチ）であれば、１ｍｍである。
【００５２】
また、上述のゴルフクラブヘッド２０の材質は、特に限定されるものではなく、Ｔｉ合金などの各種の金属、またはＣＦＰＲなどの各種のＦＲＰを用いることができる。
【００５３】
本実施例において、ヤング率が１２０ＧＰａのアラミド繊維（ＰＰＴＡ製：ポリパラテレフタルアミド製）束を撚り合わせたアラミド製紐に、ヤング率が０．１ＧＰａの弾性エポキシ樹脂を含浸固化させた緊張材を用いた第１のゴルフクラブシャフトを作製した。この第１のゴルフクラブシャフトは、図２に示す第１の緊張材４４だけを設けた構成である。
また、第１のゴルフクラブシャフトに用いられた緊張材は、繊維断面積が１ｍｍ２であり、１％の伸びを与えると、約１．２ｋＮの張力を発生することができるものである。
この緊張材は、長さが１１０ｃｍのＣＦＲＰ製の中空ゴルフクラブシャフトの内部に張り渡され、先端部が第１の固定部材（図３参照）に固定され、後端部が張力調整部材（図６（ａ）参照）に固定されている。
この緊張材は、弾性エポキシ樹脂に含浸されているので、可撓性があり、巻き取りが可能である。
【００５４】
スパナなどを用いて、張力調整部材を回転させることにより緊張材に張力を付与する。第１のゴルフクラブシャフトを叩いて、その打音を聞くと、張力が付加されていない状態では、鈍い音である。しかし、張力を付与することにより、打音は僅かではあるが半音程度上昇する。また、張力を除去すれば、打音は、もとの鈍い音に元に戻る。このように可逆的に打音が変る。この張力の付与による打音の上昇は、固有振動数の上昇に相当するものであり、半音の上昇は固有振動数が６％上昇したことに等しい。なお、この固有振動数は、ゴルフクラブシャフトの一端を紐でつるした状態における固有振動数である。
【００５５】
このような打音の上昇は、第１のゴルフクラブシャフトの剛性の上昇によるものである。
ここで、第１のゴルフクラブシャフトの剛性の変化が、ゴルフクラブの性能または使用感に影響を与えることは、広く知られたことである。本実施例においては、使用感覚または印象に照らしながら容易にゴルフクラブシャフトの剛性を調節できる。
【００５６】
また、緊張材に、断面積が０．５ｍｍ２（直径が０．８ｍｍ）のピアノ線を用いて、アラミド繊維強化プラスチックスの場合と同様に、長さが１１０ｃｍのＣＦＲＰ製の中空ゴルフクラブシャフトの内部に緊張材を設けた第２のゴルフクラブシャフトを作製した。この場合においても、張力を付与すると、打音は、張力を付与していない状態から、半音程度上昇する。緊張材にピアノ線を用いた場合でも、張力を付与しない状態に戻せば、打音はもとの鈍い音に戻る。
このように、緊張材がピアノ線であっても、ゴルフクラブシャフトの剛性を調整することができる。
【００５７】
また、第１のゴルフクラブシャフト（緊張材がＡＦＲＰ）と、第２のゴルフクラブシャフト（緊張材がピアノ線）とを比較した場合、いずれの素材を用いた場合においても、固有振動数（音）を変えることができる。第１および第２のゴルフクラブシャフトの打音を半音上げて、同じ音色に調整する。
そして、各ゴルフクラブシャフトを叩いて、打音を聞き比べると、第１のゴルフクラブシャフトの場合、残響時間が第２のゴルフクラブシャフトに比して約３０％短く、ダンピングが大きい。また、打音をマイクロフォンにより測定し、減衰率（一振動当りの音圧低下率）を比較すると、減衰率においても緊張材がＡＦＲＰのもの方が高い。このように、マイクロフォンによる測定結果と、聞き比べの結果とは同様であった。
特に、ＡＦＲＰは、ダンピング性能が高いことが知られており、その物理的性質はゴルフクラブシャフトで体感できる範囲の振動特性の違いを生じさせるものである。
【００５８】
本発明は、基本的に以上のようなものである。
以上、本発明のゴルフクラブシャフトおよびゴルフクラブについて詳細に説明したが、本発明は上記実施形態に限定されず、本発明の主旨を逸脱しない範囲において、種々の改良または変更をしてもよいのはもちろんである。
【図面の簡単な説明】
【００５９】
【図１】本発明の実施例に係るゴルフクラブを示す分解斜視図である。
【図２】本実施例のゴルフクラブシャフトを示す模式的側断面図である。
【図３】図２に示す領域Ａの拡大図である。
【図４】図２に示す領域Ｂの拡大図である。
【図５】図２に示す領域Ｃの拡大図である。
【図６】（ａ）は、図２に示す領域Ｄの拡大図であり、（ｂ）は、（ａ）の正面図である。
【図７】（ａ）および（ｂ）は、本実施例のゴルフクラブシャフトの張力調整方法を工程順に示す模式図である。
【符号の説明】
【００６０】
１０  ゴルフクラブヘッド
２０  ゴルフクラブヘッド
２２  フェース部
２４  ソール部
２６  クラウン部
２８  サイド部
３０  ホーゼル部
３４  ソケット
４０、８０  ゴルフクラブシャフト
４２  シャフト体
４２ａ  基端部
４２ｂ  先端部
４３  内周面
４４  第１の緊張材
４６  第２の緊張材
４８  第３の緊張材
５０  第１の固定部材
５２  第２の固定部材
５４  第３の固定部材
６０  張力調整部
７０ａ、７０ｂ、７０ｃ  張力調整部材
【図１】
2005143963.tif 000003
【図２】
2005143963.tif 000004
【図３】
2005143963.tif 000005
【図４】
2005143963.tif 000006
【図５】
2005143963.tif 000007
【図６】
2005143963.tif 000008
【図７】
2005143963.tif 000009